(57)【特許請求の範囲】
【請求項１】
引き戸門扉又は伸縮門扉の扉の設置面と面一に敷設されたフラットレールと、各フラットレールの外側縁に沿って形成された転倒防止金具用係合溝とを備え、この係合溝の端部に塵取り部を、上記係合溝に出し入れ可能に設け、この塵取り部を上記フラットレールと略同じ高さに形成したことを特徴とする引き戸門扉、伸縮門扉の扉の走行ガイド構造。
【請求項２】
前記塵取り部を、取付金具を介してガイドレール又はその周辺部材に取り付けた、請求項１記載の引き戸門扉、伸縮門扉の扉の走行ガイド構造。
【発明の詳細な説明】
【０００１】
【発明の属する技術分野】
本発明は、引き戸門扉、伸縮門扉の扉の走行ガイド用フラットレールに沿って形成された係合溝にコンクリート粉や塵が溜った場合に、これらを掃き出すのに便利な走行ガイド構造に関する。
【０００２】
【従来技術】
一般に、この種の扉の走行を案内するガイド構造として、図４(a) に示されるように、フラットレール１２とこのフラットレール１２の外側縁に沿って設けられた係合溝１６とからなる構成が知られている。フラットレール１２は引き戸門扉、伸縮門扉の扉のキャスター６を転動走行させるもので、扉３の設置面Ｇと面一になるように敷設されている。また、上記キャスター６には転倒防止金具８が一体に形成され、転倒防止金具は上記係合溝１６の内縁に係合して、扉３が転倒するのを防止するように構成されている。
【０００３】
【発明が解決しようとする課題】
しかしながら、このように設置面Ｇとレール１２とを面一にする構造では、設置面に転倒防止金具用の係合溝１６を形成せざるを得ないため、同図(b) に示すように、風雨などによって運ばれる塵、ごみのほか、車の出入りなどにより係合溝１６の溝縁を構成するコンクリート部分が削れて溜りやすい。コンクリート粉は硬いので係合溝内に溜ると、美観上好ましくないだけでなく、扉走行時に転倒防止金具８に当たって扉の円滑な走行に支障をきたすことがあり、塵埃は風にのって飛散するので衛生上も好ましくない。そのため、粉塵などのごみ等ａをこまめに掃き出さなければならず、清掃作業が非常に面倒であった。
【０００４】
本発明は上記欠点を解消し、塵、ごみ等の掃き出し作業を容易に行なうことができるとともに、美観や衛生を良好に保持することができる、引き戸門扉、伸縮門扉の扉の走行ガイド構造を提供することをその課題とする。
【０００５】
【課題を解決するための手段】
前記課題を解決するため、本発明に係る引き戸門扉、伸縮門扉の扉の走行ガイド構造は、引き戸門扉又は伸縮門扉の扉の設置面と面一に敷設されたフラットレールと、各フラットレールの外側縁に沿って形成された転倒防止金具用係合溝とを備え、この係合溝の端部に塵取り部を、上記係合溝に出し入れ可能に設け、この塵取り部を上記フラットレールと略同じ高さに形成したことを特徴とする。
【０００６】
なお、前記塵取り部は、取付金具を介してガイドレール又はその周辺部材に取り付けるのが好ましい。
【０００７】
【発明の実施の形態】
図１はカーゲートの正面図、図２はその一部を拡大した側面の断面図を示す。同図において符号１は吊元柱、２は戸当り柱を示し、３は伸縮扉を示す。伸縮扉３は複数の枠組み支柱４をパンタグラフ状のリンク５を介して連結したもので、各支柱４の左右の下端にはキャスター６が転動走行可能に取り付けられている。また、キャスター６の外側には取り付け金具７が固定され、この取り付け金具７には転動防止金具８が取り付けられている。転動防止金具８はローラ９の下端に金属製の鍔１０を設けたもので、ローラ９は垂直軸１１の回りに回転可能に支持されている。
【０００８】
上記伸縮扉３は平行なフラットレール１２上を転動走行可能に設けられている。フラットレール１２は、伸縮扉３の走行面に沿って一定の間隔に配置された金属（例えばステンレス）の支持板１３の両端に溶接等により固定された平行なレール材１２ａの間にコンクリート１２ｂを打設して全体を設置面Ｇと面一になるように敷設されたものである。支持板１３はコンクリート１４にフックボルト１５を埋設することにより固定されている。
【０００９】
次に、両フラットレール１２の外側縁に沿って転倒防止金具８が係合するための係合溝１６が形成されている。係合溝１６の内側壁１６ａの下部はフラットレール１２側に没入する凹部１７が形成され、フラットレール１２の外側縁が外方に張り出す形状になっている。また、係合溝１６の外側壁１６ｂは垂直の壁になっている。そして、係合溝１６の表面は、上記内側壁１６ａを構成するとともに上記レール材１２ａと一体の金属曲げ板１８と、上記外側壁１６ｂを構成するとともに、上記レール材１２ａと同じ材質の金属曲げ板１９とによって覆われている。両曲げ板１８、１９は係合溝１６の溝底の中央部で突合せられている。なお、外側壁１６ｂを構成する金属曲げ板１９の外側部は門形に形成され、係合溝１６の外側壁１６ｂを縁取りする補強用溝縁２０を構成している。このため、従来のコンクリート製の係合溝１６のように、自動車などが走行したときに係合溝１６の溝縁２０が削り取られることがなく、削られてできたコンクリート粉が係合溝１６に溜ることもない。
【００１０】
次に、図１及び図３に示されるように、上記係合溝１６の戸当り側の端部には塵取り部２１が配置されている。すなわち、塵取り部２１は、ステンレス等の金属製底板２１ａと側板２１ｂと水平板２１ｃとをＺ字形に折り曲げ形成するとともに、側板２１ｂと底板２１ａの両側縁に沿って三角形状の袖壁２２を設け、さらに側板２１ｂ側にも方形の補強板２１ｄを設けたもので、底板２１ａは係合溝１６の溝底に、側板２１ｂは係合溝１６の外側壁１６ｂに、水平板２１ｃは係合溝１６の外側壁１６ｂの溝縁２０に係合している。そして、水平縁は上記溝縁２０にヒンジ金具２４を介して取り付けられている。なお、２３は手掛けである。
【００１１】
塵取り部２１の高さはフラットレール１２と略同じであるから、その上を歩くときにつまづいたり、それによって塵取り部２１が損傷したりすることがない。
【００１２】
また、塵取り部２１の底板２１ａは係合溝１６の溝底に当接し、袖壁２２の高さは低く抑えられているので、塵取り部２１が伸縮扉３の走行を邪魔することがない。
【００１３】
上記構成において、カーゲートを開閉するときは、上記伸縮扉３のキャスター６をフラットレール１２のレール材１２ａ上を転動させて伸縮移動させればよい。その際、転動防止金具８のローラ９が伸縮扉３の左右の振れを防止するから、キャスター６は確実にフラットレール１２上を転動走行し、脱輪することはない。そして、カーゲート閉鎖時に伸縮扉３に対して直面する方向に強風が吹く等によって伸縮扉３が倒れる方向に力が加わるが、この場合は転倒防止金具８の鍔１０が係合溝１６の内側の凹部１７に係合するから、伸縮扉３が転倒するのを確実に防止することができる。
【００１４】
また、カーゲートの設置面Ｇには風雨によって塵、ごみ等ａが運ばれ、係合溝１６に溜る現象が発生する。このときは、ごみや塵をほうきなどにより係合溝１６の端部に寄せ、塵取り部２１の底板２１ａに掃き集める。集め終ったならば手掛け２３に手を掛けて底板２１ａを引き上げる。塵取り部２１はヒンジ金具２４を中心に回動し、底板２１ａ上に集められたごみ、塵等ａは設置面Ｇ上に放出されるので、これをさらに別の塵取りに集めて捨てればよい。
【００１５】
なお、塵取り部は必ずしもヒンジ金具で回動自在に取り付けられている必要はない。他の適宜の取付金具を介して着脱自在に取り付けてもよい。また、塵取り部は係合溝の溝縁に取り付けるものに限定されない。フラットレール又はその周辺の部材に取り付けてもよい。
【００１６】
また、扉は伸縮扉に限定されない。伸縮せずに車輪走行する引き戸門扉の扉でもよい。
【００１７】
【発明の効果】
請求項１に係る発明によれば、係合溝の端部に塵取り部が備えられているから、掃除の際にいちいち塵取りを持ち出す必要がなく、塵、ごみ等の掃き出し作業を容易に行なうことができて便利であり、門扉やカーゲート等の扉回りの美観や衛生を良好に保持することができる。
【００１８】
また、塵取り部は係合溝の内側に扉の移動に支障がないように設けられているので、開閉時の邪魔にならず、しかも紛失しにくい。
【００１９】
しかも、塵取り部の高さはフラットレールと略同じかそれよりも低いので、つまずいたり、引っ掛かったりするおそれがない。
【００２０】
請求項２に係る発明によれば、塵取り部は取付金具を介して取り付けられているので、盗難や紛失のおそれがない。
【図面の簡単な説明】
【図１】本発明に係るカーゲートの正面図
【図２】上記カーゲートの一部を拡大した側面の断面図
【図３】塵取り部の配置状態を示す斜視図
【図４】(a) (b) は従来の伸縮門扉の
【符号の説明】
３  伸縮扉
１２  フラットレール
１６  係合溝
２１  塵取り部
【図１】
0003580490.tif 000002
【図２】
0003580490.tif 000003
【図３】
0003580490.tif 000004
【図４】
0003580490.tif 000005